(57)【要約】【課題】メガネレンチの使用が困難な場合でも、メガネレンチと同等の良好な回転操作性をもってナットを回転させることができるスパナを提供する。【解決手段】握り部１の先端に左右一組の挟持片２，２を形成すると共に、この挟持片の間に、四角以上の偶数角ナット５が嵌合される凹部であってその平行な二辺３ａ，３ａより先の部分が開放されたナット嵌合凹部３を形成し、偶数角ナット５の側面５ａに係合する外れ防止用突起４，４を挟持片２，２の先端から内側へ突設したスパナＳ１とする。パイプ継手のパイプ差込口に螺着されたパイプ締付固定用ナットを回転させるのに用いるスパナは、外れ防止用突起４，４の相互間隔Ｗをパイプ６の外径Ｄよりも大きくする。外れ防止用突起４，４でスパナＳ１がナット５から側方へ外れないようにすると共に、握り部１がナットの軸線方向に傾き難くして、メガネレンチと同等の良好な回転操作性を付与する。【選択図】図２
2008023623.tif 000002
【特許請求の範囲】
【請求項１】
握り部の先端に二股状に分岐した左右一組の挟持片を形成すると共に、左右一組の挟持片の間に、四角以上の偶数角ナットが嵌合される凹部であってその平行な二辺より先の部分が開放されたナット嵌合凹部を形成し、偶数角ナットの側面に係合する外れ防止用突起を左右一組の挟持片の先端からナット嵌合凹部の平行な二辺の内側へ突設したことを特徴とするスパナ。
【請求項２】
パイプ継手のパイプ差込口に螺着されたパイプ締付固定用の偶数角ナットを回転させるスパナであって、外れ防止用突起の相互間隔をパイプの外径よりも大きくしたことを特徴とする請求項１に記載のスパナ。
【請求項３】
ナット嵌合凹部として八角ナットを嵌合する凹部を形成し、外れ防止用突起を左右一組の挟持片の先端から内側へ４５°の角度で突設したことを特徴とする請求項１又は請求項２に記載のスパナ。
【請求項４】
ナット嵌合凹部として六角ナットを嵌合する凹部を形成し、外れ防止用突起を左右一組の挟持片の先端から内側へ６０°の角度で突設したことを特徴とする請求項１又は請求項２に記載のスパナ。
【請求項５】
握り部の先端に二股状に分岐した左右一組の挟持片を形成すると共に、左右一組の挟持片の間に、四角以上の偶数角ナットが嵌合される凹部であってその平行な二辺より先の部分が開放されたナット嵌合凹部を形成し、偶数角ナットの側面に係合する外れ防止用突起を一方の挟持片の先端からナット嵌合凹部の平行な二辺の一方の辺の内側へ突設したことを特徴とするスパナ。
【発明の詳細な説明】
【技術分野】
【０００１】
本発明はスパナに関し、更に詳しくは、所謂メガネレンチと同様の良好な操作性を付与したスパナに関する。
【背景技術】
【０００２】
周知のように、通常のスパナは、握り部の先端に二股状に分岐した左右一組の挟持片を形成し、この左右一組の挟持片の間に、六角ナットが嵌合される凹部であってその平行な二辺より先の部分が開放されたナット嵌合凹部を形成した構造を有している。
【０００３】
このようなスパナは、そのナット嵌合凹部にナットを嵌合して回転させるときに、ナット嵌合凹部がナットから側方に外れ易く、しかも、スパナの握り部がナットの軸線方向に傾斜して軸線方向と略直角方向に保持し難いため、回転操作性があまり良くないという問題がある。
【０００４】
これに対し、所謂メガネレンチは、握り部の端部にナットが嵌合されるナット嵌合リングを形成したものであるため、そのナット嵌合リングをナットを嵌合して回転させるときに、ナット嵌合リングがナットから外れ難く、且つ、ナットの軸線方向に対してメガネレンチの握り部を略直角に保持できるため、回転操作性が良いという利点を有する。けれども、パイプ差込口にパイプ締付固定用のナットを螺着したパイプ継手の該パイプ差込口にパイプを差込み、ナットを回転させてパイプを締付固定するような場合には、パイプが邪魔になってメガネレンチのナット嵌合リングをナットを嵌合させることができないため、メガネレンチを使用できないという問題がある。
【０００５】
ところで、回転操作性の向上を図ったスパナとして、例えば、握り部の先端に固定の挟持片と揺動可能な挟持片を設け、これらの挟持片の間に六角ナットが嵌合される凹部を形成したスパナが知られている（特許文献１）。このスパナは、一方の挟持片が揺動可能であるため、ナットを嵌め込んだまま抜取ることなく連続的に該ナットを締付けたり緩めたりすることが可能なものであるが、やはり、ナット嵌合凹部がナットから外れやすく、かつ、握り部がナットの軸線方向に傾きやすいため、回転操作性があまり良くないという問題がある。
【特許文献１】特開平９−９４７６７号公報
【発明の開示】
【発明が解決しようとする課題】
【０００６】
本発明は上記事情の下になされたもので、その解決しようとする課題は、所謂メガネレンチの使用が困難な場合でも、メガネレンチと同等の良好な回転操作性をもって使用することができる便利なスパナを提供することにある。
【課題を解決するための手段】
【０００７】
上記課題を解決するため、本発明に係るスパナは、握り部の先端に二股状に分岐した左右一組の挟持片を形成すると共に、左右一組の挟持片の間に、四角以上の偶数角ナットが嵌合される凹部であってその平行な二辺より先の部分が開放されたナット嵌合凹部を形成し、偶数角ナットの側面に係合する外れ防止用突起を左右一組の挟持片の先端からナット嵌合凹部の平行な二辺の内側へ突設したことを特徴とするものである。
【０００８】
本発明に係るスパナの代表例は、パイプ継手のパイプ差込口に螺着されたパイプ締付固定用の偶数角ナットを回転させるスパナであって、外れ防止用突起の相互間隔をパイプの外径よりも大きくしたものである。そして、より具体的なものは、ナット嵌合凹部として八角ナットを嵌合する凹部を形成し、外れ防止用突起を左右一組の挟持片の先端から内側へ４５°の角度で突設したスパナや、ナット嵌合凹部として六角ナットを嵌合する凹部を形成し、外れ防止用突起を左右一組の挟持片の先端から内側へ６０°の角度で突設したスパナである。
【０００９】
また、本発明のもう一つのスパナは、握り部の先端に二股状に分岐した左右一組の挟持片を形成すると共に、左右一組の挟持片の間に、四角以上の偶数角ナットが嵌合される凹部であってその平行な二辺より先の部分が開放されたナット嵌合凹部を形成し、偶数角ナットの側面に係合する外れ防止用突起を一方の挟持片の先端からナット嵌合凹部の平行な二辺の一方の辺の内側へ突設したことを特徴とするものである。
【発明の効果】
【００１０】
本発明に係るスパナをナットの軸線方向に移動させてナット嵌合凹部をナットに嵌合させると、左右一組の挟持片の先端からナット嵌合凹部の平行な二辺の内側へ突設された外れ防止用突起がナットの側面に係合するため、ナット嵌合凹部がナットから側方に外れることがなくなり、また、外れ防止用突起の係合によりスパナの握り部もナットの軸線方向に傾き難くなって軸線方向と略直角方向に保持されるので、所謂メガネレンチと同様の良好な回転操作性をもってナットを回転させることができる。
【００１１】
そして、パイプ継手のパイプ接続口に螺着されたパイプ締付固定用ナットを回転させるスパナとして外れ防止用突起の相互間隔をパイプの外径より大きくしたものは、この外れ防止用突起の相互空間を通じてパイプをナット嵌合凹部に遊嵌し、スパナをナット（パイプ）の軸線方向に移動させてナット嵌合凹部をパイプ締付固定用ナットに嵌合させることができるので、メガネレンチでは回転させることができないパイプ締付固定用ナットであっても、操作性良く回転させることができる。
【００１２】
また、本発明に係るもう一つのスパナは、ナットの側面に係合する外れ防止用突起を一方の挟持片の先端から内側に突設しているだけであるため、握り部がナットの軸線方向にやや傾きやすくなるとはいうものの、この一つの外れ防止用突起によってナット嵌合凹部がナットから側方へ外れるのを防止できるので、やはり回転操作性が向上する。
【００１３】
尚、本発明に係るスパナのより具体的なものは、前記のように、八角ナットを嵌合するナット嵌合凹部を形成して外れ防止用突起を内側へ４５°の角度で突設したスパナや、六角ナットを嵌合するナット嵌合凹部を形成して外れ防止用突起を内側へ６０°の角度で突設したスパナであるが、本発明のスパナはこれらに限定されるものではなく、例えば、四角ナットを嵌合するナット嵌合凹部を形成して外れ防止用突起を内側へ９０°の角度で突設したスパナや、十角ナットを嵌合するナット嵌合凹部を形成して外れ防止用突起を内側へ３６°の角度で突設したスパナなど、偶数角ナットを嵌合するナット嵌合凹部を形成してそれに対応する角度で外れ防止用突起を内側に突設した全てのスパナを包含するものである。
【発明を実施するための最良の形態】
【００１４】
以下、図面を参照して本発明の具体的な実施形態を詳述する。
【００１５】
図１は本発明の一実施形態に係るスパナの斜視図、図２は同スパナの平面図、図３は同スパナの使用例を示す斜視図である。
【００１６】
このスパナＳ１は金属からなるもので、帯板状の握り部１の先端には二股状に分岐した左右一組の略弧状の挟持片２，２が形成されている。そして、これらの挟持片２，２の間には、八角ナットが嵌合されるナット嵌合凹部３が形成されており、このナット嵌合凹部３の互いに平行な相対向する二辺３ａ，３ａより先の部分は開放されている。また、これらの挟持片２，２の先端には、図２に示すように、ナット嵌合凹部３に嵌合された八角ナット５の側面５ａと係合する外れ防止用突起４，４が、ナット嵌合凹部３の互いに平行な二辺３ａ，３ａから内側へ４５°の角度で突設されている。
【００１７】
このスパナＳ１は、図３に示すように、パイプ６を接続するパイプ継手７のパイプ差込口に螺着されたパイプ締付固定用の八角ナット５を回転させる場合に主として使用するものであるため、図２に示すように、外れ防止用突起４，４の相互間隔Ｗがパイプ６の外径Ｄよりも大きく設定されており、この外れ防止用突起４，４の相互空間を通じてパイプ６をナット嵌合凹部３内に遊嵌できるようになっている。この外れ防止用突起４，４の相互間隔Ｗは、パイプ６の外径Ｄよりも僅かに大きくなるように設定することが好ましく、そのように設定すると、外れ防止用突起４，４の突出寸法が大きくなって、ナット嵌合凹部３と外れ防止用突起４，４によるナット抱持安定性が高められるので、保持スパナＳ１の回転操作性が一層良くなる利点がある。
【００１８】
このようなスパナＳ１は、例えば、厚肉の金属板を図１に示すスパナ形状に打ち抜くことによって量産することができる。また、鋳型によって製造しても勿論よい。
【００１９】
上記のスパナＳ１を用いて、図３に示すようにパイプ継手７のパイプ締付固定用の八角ナット５を回転させる場合は、まず、八角ナット５の近くでスパナＳ１のナット嵌合凹部３をパイプ６に遊嵌し、スパナＳ１を八角ナット５（パイプ６）の軸線方向に移動させてナット嵌合凹部３を八角ナット５に嵌合させる。このように嵌合させると、外れ防止用突起４，４が八角ナット５の側面５ａに係合するため、ナット嵌合凹部３が八角ナット５から側方に外れることがなくなり、また、外れ防止用突起４，４の係合により八角ナット５の抱持安定性も向上してスパナＳ１の握り部１が八角ナット５の軸線方向に傾き難くなるため、握り部１の矢印Ｘ−Ｘ方向の振れが小さくなって軸線方向と略直角方向に維持されることになる。従って、このスパナＳ１は八角ナット５をしっかりと抱持し、メガネレンチと同様の良好な回転操作性をもって、メガネレンチでは回転させることができないパイプ継手７のパイプ締付用の八角ナット５を回転させることができる。
【００２０】
図４は本発明の他の実施形態に係るスパナの平面図である。
【００２１】
このスパナＳ２は、握り部１の先端の二股状に分かれた左右一組の挟持片２，２の間に、六角ナットが嵌合されるナット嵌合凹部３０であってその平行な二辺３０ａ，３０ａより先の部分が開放された凹部３０を形成すると共に、六角ナットの側面に係合する外れ防止用突起４，４を左右一組の挟持片２，２の先端から内側へ６０°の角度で突設したものであり、外れ防止用突起４，４の相互間隔はパイプの外径よりも僅かに小さく設定されている。
【００２２】
このようなスパナＳ２も、上記のスパナＳ１と同様、メガネレンチに匹敵する良好な回転操作性をもって、メガネレンチでは回転させることができないパイプ継手のパイプ締付用の六角ナットを回転させることができる。
【００２３】
図５は本発明の更に他の実施形態に係るスパナの平面図である。
【００２４】
このスパナＳ３は、八角ナットの側面に係合する外れ防止用突起４を、一方の挟持片２の先端からナット嵌合凹部３の平行な二辺の一方の辺３ａの内側へ突設したものである。その他の構成は前述したスパナＳ１と同様であるので、図５において同一部材に同一符号を付し、説明を省略する。
【００２５】
このようなスパナＳ３は、外れ防止用突起４が一つであるため、前述した外れ防止用突起が二つのスパナＳ１に比べると、ナットの抱持安定性がやや低下し、握り部１がナットの軸線方向に少しは傾きやすくなるけれども、この一つの外れ防止用突起４によってナット嵌合凹部３がナットから側方へ外れるのを充分防止することができるため、回転操作性が向上する。
【図面の簡単な説明】
【００２６】
【図１】本発明の一実施形態に係るスパナの斜視図である。
【図２】同スパナの平面図である。
【図３】同スパナの使用例を示す斜視図である。
【図４】本発明の他の実施形態に係るスパナの平面図である。
【図５】本発明の更に他の実施形態に係るスパナの平面図である。
【符号の説明】
【００２７】
１    握り部
２    挟持片
３，３０  ナット嵌合凹部
３ａ，３０ａ  ナット嵌合凹部の平行な二辺
４    外れ防止用突起
５    パイプ締付固定用の八角ナット
５ａ  八角ナットの側面
６    パイプ
７    パイプ継手
Ｓ１，Ｓ２，Ｓ３  スパナ
Ｗ    外れ防止用突起の相互間隔
Ｄ    パイプの外径
【図１】
2008023623.tif 000003
【図２】
2008023623.tif 000004
【図３】
2008023623.tif 000005
【図４】
2008023623.tif 000006
【図５】
2008023623.tif 000007